(57)【特許請求の範囲】
【請求項１】
電話回線に接続される親機と、該親機と無線接続される子機とからなり、
前記親機に、親機送受信回路と、音声認識回路と、該音声認識回路の認識結果に基づき所定の処理を行なう制御回路と、を設け、
前記子機に、子機送受信回路と、マイクと、該マイクから入力された音声が所定レベルの音声であるか否かを検出する検出回路と、着信時に前記検出回路の検出結果に基づき前記親機に対し回線の接続要求を行なう制御回路と、を設けたものにおいて、
前記子機の制御回路は、着信時に前記検出回路が前記マイクから所定レベルの音声入力を検出したと判定すると、前記子機送受信回路を制御することにより親機と子機とを無線接続させ、
前記親機と子機が無線接続されているとき、前記親機の制御回路は、前記子機のマイクから入力され前記子機から送信された音声信号を、前記親機の送受信回路を介して前記回線へ出力すると共に前記音声認識回路に与え、前記子機のマイクから入力された音声を親機の前記音声認識回路で音声認識させることを特徴とするコ−ドレス電話装置。
【発明の詳細な説明】
【０００１】
【産業上の利用分野】
本発明は、音声認識回路を有したコードレス電話装置に関する。
【０００２】
【従来の技術】
近年、例えば特公平３−３１２７５号公報に示すように、音声認識により、予め定めた動作を行なわせる種々の装置が開発されており、電話機にあっても例えば特開平２−２０２２５５号公報に開示されている如く、外線からの着信時に、所定の音声の入力に応じて通話状態に設定するものが開発されている。
【０００３】
ところで、コードレス電話装置にあっては、周知の如く、電話回線に接続される親機と、該親機と無線接続される子機とから構成される。
【０００４】
従って、コードレス電話装置は、親機と子機の両者に音声認識回路を設けることが望ましい。
【０００５】
しかし、音声認識回路は、高価であるため、一般的に親機側にのみ設け、親機側の音声入力によって音声認識を行なうようにしている。このため、子機側からは着信に対する音声自動応答を行なうことができない。
【０００６】
そこで、着信時の鳴動休止期間中に所定レベル以上の音声（一般的にユーザーは「ハイ」と応答する）を検出する音声検出回路を子機に設け、子機側で着信に対する音声自動応答を行なうようにしたものが考案されている。
【０００７】
【発明が解決しようとする課題】
しかし、音声検出回路は、単に音声レベルを検出するのみで、音声認識を行なうものではないため、子機の通話中において例えば「転送」等の動作を音声にて指令することができなかった。
【０００８】
【課題を解決するための手段】
本発明のコードレス電話装置はかかる点に鑑みなされたもので、電話回線に接続される親機と、該親機と無線接続される子機とからなり、前記親機に、親機送受信回路と、音声認識回路と、着信時に前記音声認識回路の認識結果に基づき所定の処理を行なう制御回路と、を設け、前記子機に、子機送受信回路と、マイクと、該マイクから入力された音声が所定レベルの音声であるか否かを検出する検出回路と、該検出回路の検出結果に基づき前記親機に対し回線の接続要求を行なう制御回路と、を設けたものにおいて、前記子機の制御回路は、着信時に前記検出回路が前記マイクから所定レベルの音声入力を検出したと判定すると、前記子機送受信回路を制御することにより親機と子機とを無線接続させ、前記親機と子機が無線接続されているとき、前記親機の制御回路は、前記子機のマイクから入力され前記子機から送信された音声信号を、前記親機の送受信回路を介して前記回線へ出力すると共に前記音声認識回路に与え、前記子機のマイクから入力された音声を親機の前記音声認識回路で音声認識させることを特徴とする。
【０００９】
【作用】
本発明は、上記のように構成したものであるから、子機側において、着信に対する音声応答は音声検出回路により行なうことができ、又通話中の所定動作指令は親機の音声認識回路により行なうことができる。
【００１０】
【実施例】
本発明の実施例を図面に基づいて説明する。図１は、本発明のコードレス電話装置のブロック図を示し、（１）は電話回線（Ｌ）に接続される親機、（２Ａ）（２Ｂ）（２Ｃ）は該親機と無線接続される子機である。
【００１１】
図２は、本発明のコードレス電話装置の親機（１）のブロック図を示し、（３）は電話回線（Ｌ）に接続されたネットワーク回路で、電話回線（Ｌ）の接続回路及び保留回路も含んでいる。（４）は外線からの着信を検出する着信検出回路、（５）はアンプ（６）に接続されたハンズフリー用のスピーカ、（７）はアンプ（８）に接続されたハンズフリー用のマイクロホンである。（９）は子機（２Ａ）等からの信号を受信し、復調する受信回路、（１０）は子機（２Ａ）等に対して信号を送信する送信回路である。（１１）は受信回路（９）の出力とマイクロホン（７）のアンプ（８）の出力を切換える切換スイッチ、（１２）は切換スイッチ（１１）の出力を入力する音声認識回路で、ユーザーの「ハイ」、「親機」、「子機１」、「子機２」、「子機３」という言葉を認識するように設定され、各々の応じた認識結果を出力する。（１３）は受信回路（９）、送信回路（１０）の組とスピーカ（５）、マイクロホン（７）の組のいずれかをネットワーク回路（３）に接続する切換回路、（１４）は着信報知用のベル、（１５）はハンズフリーキー（１６）、終話キー（１７）、テンキー（１８）及び保留キー（１９）を含むキー回路である。（２０）はマイクロプロセッサからなる制御回路で、親機（１）の各回路を制御するものである。
【００１２】
図３は、子機（２Ａ）のブロック図を示し、（２１）は親機（１）からの信号を受信する受信回路、（２２）は受信回路（２１）からの復調信号をアンプ（２３）を介して再生するスピーカである。（２４）はアンプ（２５）を介してマイクロホン（２６）から入力した信号を変調して親機（１）に送信する送信回路で、後述する制御回路（３４）からの制御信号も変調して親機（１）に送信する。（２７）は着信報知用のベル、（２８）はハンズフリーキー（２９）、終話キー（３０）、テンキー（３１）及び保留キー（３２）を含むキー回路である。（３３）はマイクロホン（２６）の出力を入力する音声検出回路で、親機（１）の音声認識回路（１２）とは異なり、入力信号レベルのみを検出するようにしている。これは、音声認識回路（１２）が高価であり、コストの低減を図るためである。（３４）はマイクロプロセッサからなり、子機（２Ａ）の各回路を制御する制御回路である。尚、この制御回路（３４）は、着信時において鳴動休止期間の音声検出回路（３３）の検出出力を入力するようにしている。即ち、子機（２Ａ）は、着信時の鳴動休止期間中にユーザーの「ハイ」等の音声により入力音声レベルが所定値を越えるか否かを検出するようにしている。
【００１３】
尚、子機（２Ｂ）（２Ｃ）については、子機（２Ａ）と同一構成であり、ここでは説明を省略する。
【００１４】
図４、図５は、本発明の親機（１）、子機（２Ａ）の制御回路（２０）（３４）に書き込まれた着信処理に関するプログラムのフローチャートで、以下これに基づいて動作を説明する。
【００１５】
尚、初期状態にあっては、親機（１）の切換スイッチ（１１）は、マイクロホン（７）のアンプ（８）側に設定されている。
【００１６】
而して、親機（１）の制御回路（２０）は着信検出回路（４）が着信を検出したか否かを監視する（Ｓ１）。着信を検出したとき、親機（１）の制御回路（２０）は、着信検出信号を子機（２Ａ）（２Ｂ）（２Ｃ）に送信すると共にベル（１４）を駆動する（Ｓ２、３）。この着信検出信号を受信した子機（２Ａ）の制御回路（３４）はベル（２７）を駆動する（Ｓ３６、３７）。尚、この時のベル（２７）の駆動は、２秒鳴動、１秒休止のタイミングで行なわれることになる。
【００１７】
さて、このベル（１４）（２７）の駆動中、親機（１）側にて「ハイ」という言葉を認識すると、制御回路（２０）は、電話回線（Ｌ）を閉結してベル（１４）を停止させると共に子機（２Ａ）（２Ｂ）（２Ｃ）に通話信号を送信し、且つ切換回路（１１）をハンズフリー用のスピーカ（５）とマイクロホン（７）側に切換え、これらをネットワーク回路（３）を介して電話回線（Ｌ）に接続する（Ｓ４、６〜９）。子機（２Ａ）にあっては、親機（１）からの通話信号を受信すると、ベル（２７）を停止してスタンバイ状態とし、他の処理に移行する（Ｓ５０〜５２）。尚、他の子機（２Ｂ）（２Ｃ）にあっても、子機（２Ａ）と同様の処理を行なうことは勿論である。
【００１８】
上記親機（１）の通話モードにおいて、制御回路（２０）は、保留キー（１９）と終話キー（１７）の操作を監視する（Ｓ１０、１８）。ここで、保留キー（１９）の操作を検出すると、制御回路（２０）は保留状態に設定する（Ｓ１１）。この時、制御回路（２０）は音声認識回路（１２）の音声認識状態を監視する（Ｓ１２、１４、１５）。例えば、「子機Ａ」の音声を認識すると、親機（１）の制御回路（２０）は子機（２Ａ）への転送処理を行なうことになる（Ｓ１２、１３）。この転送処理は、周知の如く子機（２Ａ）を呼び出した後、この子機（２Ａ）を電話回線（Ｌ）に接続する処理である。又、「子機Ｂ」或いは「子機Ｃ」を認識した場合は、夫々の子機に対する転送処理を行なうことになる（Ｓ１４、１５、１３）。
【００１９】
尚、上記のように一旦、保留キー（１９）の操作によって保留状態にした後、音声認識に基づいて転送処理を行なうようにしたのは、通話中に偶然に「コキエー」等の発声をしたとき、不意に転送処理に移行するのを防止するためである。
【００２０】
もし、ユーザーが再度保留キー（１９）を操作すると、親機（１）の制御回路（２０）は、保留を解除した後、ステップＳ１０に戻る（Ｓ１６、１７）。
【００２１】
又、終話キー（１７）が操作され、それを検出すると、制御回路（２０）は、電話回線（Ｌ）を開放してスタンバイ状態とし、他の処理に移行する（Ｓ１８〜２０）。
【００２２】
上記説明は、着信に対し、「ハイ」を音声認識回路（１２）が認識した場合についてであったが、ハンズフリーキー（１６）が操作された場合についても（Ｓ５）、制御回路（２０）は、前述したステップＳ６〜２０と同様の処理を行なうことになる。
【００２３】
次に、着信に対し、子機（２Ａ）の音声検出回路（３３）が所定レベルの音声を検出すると、子機（２Ａ）の制御回路（３４）は親機（１）に対し、通話要求信号を送信する（Ｓ３８、４０）。この通話要求信号を受信した親機（１）の制御回路（２０）は、電話回線（Ｌ）を閉結してベル（１４）を停止させると共に切換回路（１３）を受信回路（９）と送信回路（１０）側に切換え、これらをネットワーク回路（３）を介して電話回線（Ｌ）に接続する（Ｓ２１〜２４）。そして、親機（１）の制御回路（２０）は、更に切換スイッチ（１１）を受信回路（９）側に設定し、無線を介して送られてくる子機（２Ａ）からの音声信号を音声認識回路（１２）に与える（Ｓ２５）。
【００２４】
上記子機（２Ａ）の通話モードにおいて、子機（２Ａ）の制御回路（３４）は、保留キー（３２）と終話キー（３０）の操作を監視する（Ｓ４２、４７）。ここで、保留キー（３２）の操作を検出すると、制御回路（３４）は保留信号を親機（１）に送信する（Ｓ４３）。この保留信号を受信した親機（１）の制御回路（２０）は保留状態に設定する（Ｓ２６、２７）。この時、制御回路（２０）は音声認識回路（１２）の音声認識状態を監視する（Ｓ２８）。この状態では、「親機」を認識したか否かを監視し、もし、「親機」を認識した場合は、親機（１）の転送処理を行なうことになる（Ｓ２９）。ここで、親機（１）の転送処理とは、周知の如く、子機（２Ａ）の通話状態において、親機（１）のマイクロホン（７）とスピーカ（５）を電話回線（Ｌ）に接続する処理であり、この処理において、転送終了後、親機（１）の制御回路（２０）は子機（２Ａ）に転送信号を送信する。この転送信号を受信した子機（２Ａ）の制御回路（３４）はスタンバイ状態にした後、他の処理に移行する（Ｓ４６、４９）。
【００２５】
尚、再度、子機（２Ａ）の保留キー（３２）が操作され、親機（１）に対して保留信号が送信されると、親機（１）の制御回路（２０）は、保留を解除しステップＳ２６に戻る（Ｓ３０、３１）。又、子機（２Ａ）の制御回路（３４）にあっても、ステップＳ４２に戻ることになる（Ｓ４４、４５）。
【００２６】
而して、子機（２Ａ）の終話キー（３０）が操作されると、制御回路（３４）は終話信号を子機（２Ａ）に送信した後、スタンバイ状態として他の処理に移行する（Ｓ４７〜４９）。又、親機（１）の制御回路（２０）にあっては、終話信号を受信すると、電話回線（Ｌ）を開放すると共に切換スイッチ（１１）をマイクロホン（７）側に切換えて親機（１）の認識モードとした後、スタンバイ状態として他の処理に移行する（Ｓ３２〜３５）。
【００２７】
上記実施例では、子機（２Ａ）からの通話要求に応じて受信回路（９）の出力を音声認識回路（１２）に与えるようにしたが、子機（２Ａ）からの保留信号の受信により、保留状態に設定するときに受信回路（９）の出力を音声認識回路（１２）に与えるようにしてもよい。
【００２８】
尚、着信に対しては、切換スイッチ（１１）を所定間隔毎に交互に切換えて親機、子機共に音声認識回路（１２）により音声応答することも考えられるが、アナログ通話において子機が複数の場合は、いずれの子機の応答かが分らないこととなり、複数の子機を有するコードレス電話装置には、好ましいものではない。しかし、本願発明では、夫々の子機に音声検出回路を設け、そして親機といずれかの子機の無線回線が形成された後に切換スイッチ（１１）を受信回路（９）側に切換えるので、複数の子機を有するコードレス電話装置にも対応できるといった利点がある。
【００２９】
【発明の効果】
本発明は、上記のように構成したものであるから、子機側において着信に対する音声応答は音声検出回路により行なうことができ、又通話中の所定動作指令は親機の音声認識により行なうことができ、簡単な構成で着信及び通話状態における音声応答を行なうことができる。
【図面の簡単な説明】
【図１】本発明のコードレス電話装置のブロック図である。
【図２】本発明のコードレス電話装置の親機のブロック図である。
【図３】本発明のコードレス電話装置の子機のブロック図である。
【図４】本発明のコードレス電話装置の親機の制御回路に書き込まれた着信処理に関する要部のプログラムのフローチャートである。
【図５】本発明のコードレス電話装置の子機の制御回路に書き込まれた着信処理に関する要部のプログラムのフローチャートである。
【符号の説明】
１    親機
２Ａ    子機
２Ｂ    子機
２Ｃ    子機
１２    音声認識回路
２０    制御回路
３３    音声検出回路
３４    制御回路
【図１】
0003599794.tif 000002
【図２】
0003599794.tif 000003
【図３】
0003599794.tif 000004
【図４】
0003599794.tif 000005
【図５】
0003599794.tif 000006